(57)【要約】【課題】従来の技術による諸問題を解決するため、ＯＳを実行しなくても外部ＡＶデータを再生できるマルチモード携帯型電子装置を提供する。【解決手段】携帯型電子装置のＡＶ信号を出力する方法は、（ａ）携帯型電子装置のＡＶ信号を出力するソースを選択し、（ｂ）ステップ（ａ）の選択によって、携帯型電子装置がその自体により発生するＡＶ信号または外部から入力されたＡＶ信号を出力するようにさせるなどのステップを含む。【選択図】図２
2005128994.tif 000002
【特許請求の範囲】
【請求項１】
携帯型電子装置のＡＶ信号を出力する方法は、
（ａ）携帯型電子装置のＡＶ信号を出力するソースを選択し、
（ｂ）ステップ（ａ）の選択によって、携帯型電子装置がその自体により発生するＡＶ信号または外部から入力されたＡＶ信号を出力するようにさせるなどのステップを含むことを特徴とする方法。
【請求項２】
前記方法は更に、携帯型電子装置をオンにするステップを含むことを特徴とする請求項１記載の方法。
【請求項３】
前記方法は更に、ステップ（ａ）において携帯型電子装置がその自体により発生するＡＶ信号を出力することを選択した場合に、ＯＳを起動するステップを含むことを特徴とする請求項１記載の方法。
【請求項４】
マルチモード携帯型電子装置は、
ＡＶ信号を表示するためのＡＶ信号表示装置と、
ＡＶ信号表示装置と電気的に接続されるプロセッサーと、
プロセッサーと電気的に接続されてＡＶ信号を発生させるＡＶ信号発生器と、
プロセッサーと電気的に接続されて外部ＡＶ信号を受信するための受信ポートと、
プロセッサーと電気的に接続され、携帯型電子装置がＡＶ信号発生器によるＡＶ信号または受信ポートから入力された外部ＡＶ信号を出力することを選択するための選択モジュールとを含むことを特徴とする電子装置。
【請求項５】
前記電子装置は更に、ＯＳを保存するためのメモリーを含むことを特徴とする請求項４記載の電子装置。
【請求項６】
前記ＡＶ信号は映像信号を含み、前記ＡＶ信号表示装置は薄膜液晶ディスプレイであることを特徴とする請求項４記載の電子装置。
【請求項７】
前記薄膜液晶ディスプレイは、薄膜液晶ディスプレイに受信されたＡＶ信号における映像信号を受信するためのＬＶＤＳレシーバーを含むことを特徴とする請求項６記載の電子装置。
【請求項８】
前記ＡＶ信号は音響信号を含み、前記ＡＶ信号表示装置はスピーカーであることを特徴とする請求項４記載の電子装置。
【請求項９】
前記スピーカーは、スピーカーに受信されたＡＶ信号における音響信号のパワーを拡大するための音声拡大器を含むことを特徴とする請求項８記載の電子装置。
【請求項１０】
前記携帯型電子装置は、ノートブック型コンピューター、ＰＤＡ（パーソナルデジタルアシスタント）、携帯電話、タブレットコンピューターのいずれかであることを特徴とする請求項８記載の電子装置。
【請求項１１】
マルチモード携帯型電子装置は、
ＡＶ信号を表示するためのＡＶ信号表示装置と、
ＡＶ信号表示装置と電気的に接続されてプログラムコードを実行するためのプロセッサーと、
プロセッサーと電気的に接続されてＡＶ信号を発生させるＡＶ信号発生器と、
プロセッサーと電気的に接続されて外部ＡＶ信号を受信するための受信ポートと、
プログラムコードを保存するための不揮発性メモリーとを含み、そのうちプロセッサーはプログラムコードを実行することにより、携帯型電子装置がＡＶ信号発生器によるＡＶ信号または受信ポートから入力された外部ＡＶ信号を出力することを選択することを特徴とする電子装置。
【請求項１２】
前記電子装置は更に、ＯＳを保存するためのメモリーを含むことを特徴とする請求項１１記載の電子装置。
【請求項１３】
前記ＡＶ信号は映像信号を含み、前記ＡＶ信号表示装置は薄膜液晶ディスプレイであることを特徴とする請求項１１記載の電子装置。
【請求項１４】
前記薄膜液晶ディスプレイは、薄膜液晶ディスプレイに受信されたＡＶ信号における映像信号を受信するためのＬＶＤＳレシーバーを含むことを特徴とする請求項１３記載の電子装置。
【請求項１５】
前記ＡＶ信号は音響信号を含み、前記ＡＶ信号表示装置はスピーカーであることを特徴とする請求項１１記載の電子装置。
【請求項１６】
前記スピーカーは、スピーカーに受信されたＡＶ信号における音響信号のパワーを拡大するための音声拡大器を含むことを特徴とする請求項１５記載の電子装置。
【請求項１７】
前記携帯型電子装置は、ノートブック型コンピューター、ＰＤＡ（パーソナルデジタルアシスタント）、携帯電話、タブレットコンピューターのいずれかであることを特徴とする請求項１１記載の電子装置。
【請求項１８】
前記プログラムコードは、不揮発性メモリーにおけるＢＩＯＳに保存されることを特徴とする請求項１１記載の電子装置。
【発明の詳細な説明】
【技術分野】
【０００１】
この発明は携帯型電子装置に関し、特にＡＶ（映像音声）信号のソースを切り替えられるマルチモード携帯型電子装置に関する。
【背景技術】
【０００２】
情報化社会において、ノートブック型コンピューター、パーソナルデジタルアシスタント（ＰＤＡ）、携帯電話、タブレット型コンピューターなどの携帯型電子装置は幅広く使用されている。小型、軽量、携帯便利性などの特長に基づき、携帯型電子装置の出現は一定の場所に限らず電子装置を持ち歩くという目標を達成した。例えばノートブック型コンピューターはデスクトップ型コンピューターにように一箇所に限られないのみならず、デスクトップ型コンピューターにも劣らない演算能力とマルチメディア処理能力を誇示している。
【０００３】
技術の発展につれ、ノートブック型コンピューターは高画質の映像音声信号を出力できるようになっている。図１を参照する。図１は従来のノートブック型コンピューター１０のブロック図である。ノートブック型コンピューター１０はＡＶ信号処理ユニットと、表示パネル１８と、スピーカー２０とを含む。そのうち表示パネル１８は駆動回路１４を具え、スピーカー２０は音声拡大器１６を具える。ＡＶ信号処理ユニット１２は映像信号と音声信号を生じさせるものであり、それぞれ駆動回路１４と音声拡大器１６と電気的に接続されてＡＶ信号処理ユニット１２からの映像信号及び音声信号を駆動回路１４と音声拡大器１６に出力するための映像信号出力端２２と音声信号出力端２４とを含む。映像信号出力端２２は映像信号を駆動回路１４に出力し、駆動回路１４は制御電気信号によって表示パネル１８を駆動して当映像信号を表示する。音声信号出力端２４は音声信号を音声拡大器１６に出力し、音声拡大器１６は音声信号をパワーアップしてスピーカー２０に送信して再生する。表示パネル１８はＡＶ信号処理ユニット１２の映像信号出力端２２と電気的に接続され、駆動回路１４は映像信号出力端２２からの映像信号を受信して制御電気信号によって表示パネル１８を駆動して映像を表示する。スピーカー２０はＡＶ信号処理ユニット１２の音声信号出力端２４と電気的に接続され、音声拡大器１６は音声信号出力端２４からの音声信号を拡大して再生する。
【０００４】
ノートブック型コンピューター１０はＡＶ信号処理ユニット１２をＡＶ信号を処理する主要デバイスとする。一般に、ノートブック型コンピューターのＡＶ信号処理ユニット１２とはビデオカード、サウンドカードまたはそれに相当するマザーボードにはめ込まれるチップのことである。ＡＶ信号処理ユニット１２を通して、ノートブック型コンピューター１０は映像信号と音声信号を表示パネル１８とスピーカー２０で出力する。しかし、従来のノートブック型コンピューター１０はＡＶ信号を処理するために立ち上がらなければならず、関連の駆動回路１４、音声拡大器１６、表示パネル１８、スピーカー２０はオペレーティングシステム（ＯＳ）の作動時にこそ作動する。よって、単にマルチメディアを楽しもうとしても、使用者はコンピューターを立ち上げなければならない。このような仕組みは時間の浪費のみならず、不必要の電力消費ももらしている。更に、外部からのＡＶ信号があれば、ノートブック型コンピューター１０は立ち上がっている状態でそれに対して変換、圧縮、解凍を行わなければならないため、ＡＶ信号の表示品質は著しく低くなる。
【発明の開示】
【発明が解決しようとする課題】
【０００５】
この発明は前述の問題を解決するため、ＯＳを実行しなくても外部ＡＶデータを再生できるマルチモード携帯型電子装置を提供することを課題とする。
【課題を解決するための手段】
【０００６】
この発明は携帯型電子装置のＡＶ信号を出力する方法を提供する。該方法は、（ａ）携帯型電子装置のＡＶ信号を出力するソースを選択し、（ｂ）ステップ（ａ）の選択によって、携帯型電子装置がその自体により発生するＡＶ信号または外部から入力されたＡＶ信号を出力するようにさせるなどのステップを含む。
【０００７】
この発明は更にマルチモード携帯型電子装置を提供する。該電子装置は、ＡＶ信号を表示するためのＡＶ信号表示装置と、ＡＶ信号表示装置と電気的に接続されるプロセッサーと、プロセッサーと電気的に接続されてＡＶ信号を発生させるＡＶ信号発生器と、プロセッサーと電気的に接続されて外部ＡＶ信号を受信するための受信ポートと、プロセッサーと電気的に接続され、携帯型電子装置がＡＶ信号発生器によるＡＶ信号または受信ポートから入力された外部ＡＶ信号を出力することを選択するための選択モジュールとを含む。
【０００８】
この発明は更にマルチモード携帯型電子装置を提供する。該電子装置は、ＡＶ信号を表示するためのＡＶ信号表示装置と、ＡＶ信号表示装置と電気的に接続されてプログラムコードを実行するためのプロセッサーと、プロセッサーと電気的に接続されてＡＶ信号を発生させるＡＶ信号発生器と、プロセッサーと電気的に接続されて外部ＡＶ信号を受信するための受信ポートと、プログラムコードを保存するための不揮発性メモリーとを含む。そのうちプロセッサーはプログラムコードを実行することにより、携帯型電子装置がＡＶ信号発生器によるＡＶ信号または受信ポートから入力された外部ＡＶ信号を出力することを選択する。
【発明の効果】
【０００９】
この発明による携帯型電子装置は、ノートブック型コンピューター、ＰＤＡ、携帯電話、タブレット型コンピューターに既存している表示パネルとスピーカーを利用し、選択モジュールをその携帯型電子装置に取り付けることによって、ＯＳを立ち上げずに外部ＡＶ信号を再生できるようにさせる。こうして非関連の装置は電力を消費しないため、電力は充分に節約される。
【発明を実施するための最良の形態】
【００１０】
かかる装置及び方法の特徴を詳述するために、具体的な実施例を挙げ、図示を参照にして以下に説明する。
【００１１】
図２を参照する。図２はこの発明によるマルチモード携帯型電子装置３０のブロック図である。携帯型電子装置３０はノートブック型コンピューター、ＰＤＡ、携帯電話またはタブレット型コンピューターであり、表示パネル３８、映像信号を受信して制御信号で表示パネル３８に映像を表示させるための低電圧差動信号（ＬＶＤＳ）レシーバー３４と、音声信号を受信してパワーアップするための音声拡大器３６を具えるスピーカー４０と、ＬＶＤＳレシーバー３４と音声拡大器３６とそれぞれ接続される映像信号出力端４８及び音声信号出力端５０を含むプロセッサー４６と、ＡＶ信号発生器３２と、受信ポート５２と、選択モジュール５４と、ＯＳを保存するためのメモリー５６とを含む。ノートブック型コンピューターを携帯型電子装置３０の例にする。ノートブック型コンピューターで内部のＡＶ信号を再生しようとすれば、選択信号を選択モジュール５４に送信して内部ＡＶ信号再生を選択する。選択モジュール５４が当選択信号を受信すると、内部信号処理との内容の指令をプロセッサー４６に送信してメモリー５６に保存されるＯＳを立ち上げ、よって関連のアプリケーションと装置は内部ＡＶ信号を再生する。ＡＶ信号発生器３２はそれによって生じたＡＶ信号をプロセッサー４６に出力し、プロセッサー４６は選択モジュール５４からの内部ＡＶ信号処理指令に基づき、ＡＶ信号発生器３２からのＡＶ信号を処理し、映像信号出力端４８を通して表示パネル３８のＬＶＤＳレシーバー３４に、音声信号出力端５０を通してスピーカー４０の音声拡大器３６にそれぞれ送信する。よって表示パネル３８とスピーカー４０はＡＶ信号を表示する。表示パネル３８は薄膜トランジスター液晶表示器である。
【００１２】
ノートブック型コンピューターで外部のＡＶ信号、例えばＴＶ信号を再生しようとすれば、選択信号を選択モジュール５４に送信して外部ＡＶ信号再生を選択してから、外部のＴＶ信号取り込みモジュールはＴＶ信号をコンポジット信号に変換してノートブック型コンピューター３０の受信ポート５２を通してプロセッサー４６に送信する。選択モジュール５４が外部ＡＶ信号再生との選択信号を受信すると、外部信号処理との内容の指令をプロセッサー４６に送信し、プロセッサー４６はその指令によってコンポジット信号をＲＧＢ信号に変換し、映像信号出力端４８を通して表示パネル３８のＬＶＤＳレシーバー３４に、音声信号出力端５０を通してスピーカー４０の音声拡大器３６にそれぞれ送信する。よって表示パネル３８とスピーカー４０はＡＶ信号を表示する。この場合、外部ＡＶ信号再生を選択しているため、受信ポート５２、プロセッサー４６、表示パネル３８、スピーカー４０などの再生関連装置以外の装置を利用しなくてＯＳは立ち上げられない。
【００１３】
前述の通り、この発明によるマルチモード携帯型電子装置で外部ＡＶデータを再生する場合、受信ポート、プロセッサー、選択モジュール、表示器などの再生関連装置以外の装置を利用しないため、ＯＳを立ち上げないのみならず関連装置以外の装置に電源を供給しなくてもよい。なお、この発明によるマルチモード携帯型電子装置に二段式の電源スイッチを取り付けても可能である。当スイッチの第一段を押せば、ＯＳを立ち上げずに受信ポート、プロセッサー、選択モジュール、表示器などの再生関連装置しか作動させない。更に第二段を押せば、ＯＳを立ち上げて全システムを作動させる。よって、外部のＡＶ信号を再生する場合にスイッチの第一段を押すだけですみ、内部ＡＶ信号再生またはその他の機能を利用する場合にこそスイッチの第二段を押すことが可能である。或いは、電源スイッチを押すと第一段になり、また選択モジュールで内部ＡＶ信号再生またはその他の機能を利用するように選択するとシステムは自動的に第二段に切り替えるのも可能である。選択モジュールは不揮発性メモリーに保存されるＢＩＯＳ（基本入出力システム）におけるプログラムである。
【００１４】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１５】
この発明による携帯型電子装置は、ノートブック型コンピューター、ＰＤＡ、携帯電話、タブレット型コンピューターに既存している表示パネルとスピーカーを利用し、選択モジュールをその携帯型電子装置に取り付けることによって、ＯＳを立ち上げずに外部ＡＶ信号を再生できるようにさせる。こうして非関連の装置は電力を消費しないため、電力は充分に節約される。
【図面の簡単な説明】
【００１６】
【図１】従来のノートブック型コンピューターのブロック図である。
【図２】この発明によるマルチモード携帯型電子装置のブロック図である。
【符号の説明】
【００１７】
１０                        ノートブック型コンピューター
１２                        ＡＶ信号処理ユニット
１４                        駆動回路
１６                        音声拡大器
１８                        表示パネル
２０                        スピーカー
２２                        映像信号出力端
２４                        音声信号出力端
３０                        ノートブック型コンピューター
３２                        ＡＶ信号発生器
３４                        ＬＶＤＳレシーバー
３６                        音声拡大器
３８                        表示パネル
４０                        スピーカー
４６                        プロセッサー
４８                        映像信号出力端
５０                        音声信号出力端
５２                        受信ポート
５４                        選択モジュール
【図１】
2005128994.tif 000003
【図２】
2005128994.tif 000004